(57)【要約】【課題】外力を受けても変形しにくいようにするとともに、高級感が発揮され、さらに包装されたサンドイッチが湿ることがないようにした食品用の包装袋を提供する。【解決手段】本発明の食品用の包装袋は、重ね合わされている表フィルム１１および裏フィルム１２の両側縁１１ａ，１２ａと一端側１０ａとがシールされるとともに、他端側１０ｂが包装されるサンドイッチの挿入口となる開口部１３とされ、包装された食品を取り出す取出し面Ｂが裏フィルム１２の中間部に形成され、該取出し面Ｂの両側に屈曲した状態で連続する一対の側面Ａ，Ａが表フィルム１１および裏フィルム１２の各側縁１１ａ，１２ａに跨って形成される食品用の包装袋において、少なくとも前記一対の側面Ａ，Ａの外面および／または内面に熱溶着および熱溶断可能なスパンボンド不織布のようなアタッチメント体２０を貼着したものである。【選択図】  図１
2004244071.tif 000002
【特許請求の範囲】
【請求項１】
重ね合わされている表フィルムおよび裏フィルムの両側縁と一端側とがシールされるとともに、他端側が包装される食品の挿入口となる開口部とされ、食品を包装した際に、該包装された食品を取り出す取出し面が表フィルムまたは裏フィルムの中間部に形成されるとともに、該取出し面の両側に屈曲した状態で連続する一対の側面が表フィルムおよび裏フィルムに跨って形成される食品用の包装袋において、
少なくとも前記一対の側面の外面および／または内面に熱溶着および熱溶断可能なアタッチメント体が貼着されていることを特徴とする食品用の包装袋。
【請求項２】
前記アタッチメント体は、前記側面全面に貼着される第一部位と、前記表フィルムまたは裏フィルムが引き裂かれる開裂部を除いた部分の前記取出し面に貼着される第二部位とからなることを特徴とする請求項１に記載の食品用の包装袋。
【請求項３】
前記アタッチメント体には、１本または複数本のリブが形成されていることを特徴とする請求項１または２に記載の食品用の包装袋。
【請求項４】
前記アタッチメント体は、スパンボンド不織布によって形成されていることを特徴とする請求項１から３のいずれか一つに記載の食品用の包装袋。
【請求項５】
重ね合わされている一対の帯状のシートを、製袋装置によって熱溶着するとともに熱溶断することにより、２枚のフィルムの両側縁と一端側とをシールした袋本体を製造する食品用の包装袋の製造方法において、
前記一対のシートの片面または両面にアタッチメント体を貼着した後、または貼着すると同時に、一対の帯状のシートを溶断シールすることを特徴とする食品用の包装袋の製造方法。
【発明の詳細な説明】
【０００１】
【発明の属する技術分野】
本発明は、サンドイッチやカステラなどの食品（以下、「サンドイッチ」という。）を、袋状に溶断シールされた表フィルムおよび裏フィルムによって包装する食品用の包装袋に関し、特に、コストアップすることなく、サンドイッチが形崩れしにくいようにした食品用の包装袋に関する。
【０００２】
【従来の技術】
直角三角形のサンドイッチは、例えば図５ないし図７に示すような食品用の包装袋に包装されて販売されている。この食品用の包装袋は、図５に示すように重ね合わされている台形状の透明な表フィルム１１０と裏フィルム１２０との両側縁１１１，１２１が溶断シールされ、幅の細い一端（以下、「上」という。）側が帯状のシール部１０１によって封止され、幅の広い他端（以下、「下」という。）側が開口部１０２によって開口可能とされている。開口部１０２を開口しやすいようにするため、表フィルム１１０は図５の点線に示すように裏フィルム１２０よりもわずかに短く形成され（図５では裏フィルム１２０を表フィルム１１０の上に重ねて描いてある。）、あるいは裏フィルム１２０が表フィルム１１０よりもわずかに短く形成されている。
【０００３】
このような表フィルム１１０と裏フィルム１２０の材質は、食品包装用のプラスチックフィルムであれば特定するものではないが、低コストで通気性の低いポリプロピレンなどが一般的に使用されている。さらに、両フィルム１１０，１２０の厚さは、開封性や経済性などの観点から２０〜３０μｍとされている。
【０００４】
そして、シール部１０１から上側は、表フィルム１１０と裏フィルム１２０が重ね合わされた突出片１１２，１２２とされ、該突出片１１２，１２２の周囲が溶断シールされている。このような突出片１１２，１２２の上縁は円弧状や波形状のようなデザイン性に富んだ形状とされることがある。
【０００５】
さらに、裏フィルム１２０の突出片１２２には、例えば逆Ｕ字形の切込線１２３が入れられ、該切込線１２３の内側が舌片状の摘み片１２４とされている。表フィルム１１０と裏フィルム１２０とは単に重ね合わされているだけであるから、摘み片１２４は摘み上げることができる。そして、裏フィルム１２０の内面には、この摘み片１２４からシール部１０１を交差して開口部１０２付近まで、裏フィルム１２０を引き裂くための細い帯状の切断手段（以下、「カットテープ」という。）１０３が貼り付けられている。
【０００６】
このような食品用の包装袋は、表フィルム１１０と裏フィルム１２０とが重ね合わされた状態から、図６に示すように表フィルム１１０と裏フィルム１２０とが直角に折り曲げられて角部１１５，１２５が形成され、開口部１０２が長方形状に開口されることにより、表裏フィルム１１０，１２０に跨ってほぼ三角形状の側面Ａが形成され、また表裏フィルム１１０，１２０間に袋状の空間１０４が形成される。この空間１０４内にサンドイッチＳが収容され、開口部１０２側の表フィルム１１０と裏フィルム１２０は、折り込まれて底部１０５とされ、該底部１０５は粘着テープ（図示せず）などによって封緘され、サンドイッチＳが包装される。
【０００７】
そして、包装されたサンドイッチＳを食するには、裏フィルム１２０の突出片１２２に設けられた摘み片１２４を摘んで真っ直ぐ下方向へ引っ張ることにより、図７に示すようにカットテープ１０３がシール部１０１の裏フィルム１２０を裁断し、さらに真っ直ぐ下方向に引っ張ることにより、裏フィルム１２０を下方へ引き裂く。裏フィルム１２０が底部１０５の方まで引き裂かれることにより、食品用の包装袋は開封され、サンドイッチＳを取り出すことができる。
【０００８】
なお、表フィルムと裏フィルムの三方をシールした袋本体の強度を高めるため、合成樹脂フィルム等から形成される側部フィルム片が裏フィルムの側面部に取り付けられたサンドイッチ包装用袋が特開平１１−３０１６９８号公報に開示されている。
【０００９】
【特許文献１】
特開平１１−３０１６９８号公報
【００１０】
【発明が解決しようとする課題】
ところで、サンドイッチを包装するとき、搬送するとき、あるいは陳列するときなどの様々な状況下で、サンドイッチは把持され、あるいは収納箱のエッジなどに勢いよく突き当たるなどの外力が加えられることがある。前記特開平１１−３０１６９８号公報に開示されたサンドイッチ包装用袋は、裏フィルムの側面部に取り付けられた側部フィルム片が外力に対抗し、包装されたサンドイッチが変形しにくいようにすることができるものの、側部フィルムが取り付けられていない表フィルムの側面に外力が加えられると、当該部分は外力に対抗することができず、サンドイッチが凹んだり、あるいは角部が丸くなったりするなど形崩れすることことがある。すると、サンドイッチは外観が損なわれ、商品価値が低下し、売れ残ることもある。
【００１１】
また、近年、高級食材を使用したサンドイッチが提供されている。しかし、高級なサンドイッチＳであっても、従来は、ポリプロピレンなどの透明なプラスチック製の表裏フィルム１１０，１２０からなる食品用の包装袋に包装されているため、普通のサンドイッチＳと差別化を図ることができず、高級なサンドイッチＳであることが消費者に認識されないことがある。
【００１２】
さらに、サンドイッチＳは、プラスチック製の表裏フィルム１１０，１２０に密封された状態にあるため、運搬中の外気温度と室内温度との温度差により、サンドイッチの水分が結露し、表裏フィルム１１０，１２０の内面に水滴が付着することがある。この水滴は、サンドイッチを湿らせ、サンドイッチの風味を損なわせる一因となる。
【００１３】
そこで、本発明は、外力を受けても変形しにくいようにする食品用の包装袋を提供することを第一の課題とし、併せて、高級感が発揮され、さらに包装されたサンドイッチが湿ることがないようにする食品用の包装袋を提供することを第二の課題とする。
【００１４】
【課題を解決するための手段】
本発明に係る食品用の包装袋は、重ね合わされている表フィルムおよび裏フィルムの両側縁と一端側とがシールされるとともに、他端側が包装される食品の挿入口となる開口部とされ、食品を包装した際に、該包装された食品を取り出す取出し面が表フィルムまたは裏フィルムの中間部に形成されるとともに、該取出し面の両側に屈曲した状態で連続する一対の側面が表フィルムおよび裏フィルムに跨って形成される食品用の包装袋において、少なくとも前記一対の側面の外面および／または内面に熱溶着および熱溶断可能なアタッチメント体が貼着されていることを特徴としている。
【００１５】
この食品用の包装袋によれば、側面の外面および／または内面に貼着されたアタッチメント体によって側面が補強され、該側面に外力が加えられても、アタッチメント体が外力を受け止め、包装されたサンドイッチが形崩れしにくいようにすることができる。また、表裏フィルムは長尺なシートが繰り出され、所定の長さごとに切断され、シールされることにより、袋本体が製造されるが、アタッチメント体が熱溶着および熱溶断可能な材質とされることにより、袋本体を製造する工程においてアタッチメント体を側面に貼着することができる。そして、アタッチメント体が側面の外面および内面の両面に貼着されるときは、片面にのみ貼着されるときよりも、サンドイッチが強く保護されることはいうまでもない。
【００１６】
また、前記食品用の包装袋において、前記アタッチメント体は、前記側面全面に貼着される第一部位と、前記表フィルムまたは裏フィルムが引き裂かれる開裂部を除いた部分の前記取出し面に貼着される第二部位とからなることが好ましい。
【００１７】
この食品用の包装袋によれば、側面の全面に貼着される第一部位の周縁が、包装されたサンドイッチの角部と一致し、サンドイッチの角部に外力が加えられても、該サンドイッチの角部が丸くならないようにすることができる。また、取出し面に貼着された第二部位によって、取出し面に加えられる外力に対して、包装されたサンドイッチが保護される。そして、取出し面に貼着された第二部位は、開裂部の間隔があけられていることにより、表フィルムまたは裏フィルムはガイド部に規制され、側面の方へ引き裂かれることなく、確実に開裂部の幅内で引き裂かれる。さらに、アタッチメント体は、側面に貼着された第一部位と取出し面に貼着された第二部位とが直角方向に折り曲げられた状態となるため、大きな剛性を有することとなる。
【００１８】
また、前記食品用の包装袋において、前記アタッチメント体には、１本または複数本のリブが形成されていることが好ましい。この食品用の包装袋によれば、リブによって、アタッチメント体が補強され、いわゆる腰を有するようになり、特にリブの長さ方向の外力が加えられたときであっても、包装されたサンドイッチは形崩れしないようにすることができる。なお、複数本のリブは同一方向に形成されることにより、リブを柱のように作用させることができる。
【００１９】
また、前記食品用の包装袋において、前記アタッチメント体は、スパンボンド不織布によって形成されていることが好ましい。この食品用の包装袋によれば、スパンボンド不織布によってプラスチックフィルムにはない高級感が醸し出される。また、スパンボンド不織布製のアタッチメント体が側面および取出し面の内面に貼着されるときは、袋本体内で発生した水滴が該アタッチメント体に吸収され、包装されたサンドイッチを湿気らせることがなく、食品の風味を保持することができる。
【００２０】
また、本発明に係る食品用の包装袋の製造方法は、重ね合わされている一対の帯状のシートを、製袋装置によって熱溶着するとともに熱溶断することにより、２枚のフィルムの両側縁と一端側とをシールした袋本体を製造する食品用の包装袋の製造方法において、前記一対のシートの片面または両面にアタッチメント体を貼着した後、または貼着すると同時に、一対の帯状のシートを溶断シールすることを特徴としている。
【００２１】
この食品用の包装袋の製造方法によれば、製袋装置によって、一対の帯状のシートが熱溶着および熱溶断されて袋本体が製造されると同時に、または袋本体が製造される前の段階で、一対のシートの片面または両面にアタッチメント体が貼着され、アタッチメント体を袋本体に貼着した食品用の包装袋を効率的に製造することができる。一対のシートが一対のアタッチメント体に挟まれると、袋本体の外面にアタッチメント体が貼着され、一対のアタッチメント体が一対のシートに挟まれると、袋本体の内面にアタッチメント体が貼着され、また、各シートがそれぞれ一対のアタッチメント体に挟まれると、袋本体の外面と内面とにアタッチメント体が貼着された食品用の包装袋が製造される。
【００２２】
【発明の実施の形態】
本発明に係る食品用の包装袋の一実施形態を図１ないし図４を参照しながら説明する。本実施形態の食品用の包装袋は、包装されるサンドイッチが形崩れしないようにするアタッチメント体２０が袋本体１０に貼着されている。
【００２３】
袋本体１０は従来と同様、直角三角形状のサンドイッチを包装するため、重ね合わされている台形状の透明な表フィルム１１および裏フィルム１２の両側縁１１ａ，１２ａと一端（以下、「上」という。）側１０ａとが溶断シールされ、他端（以下、「下」という。）側１０ｂが包装される食品の挿入口となる開口部１３としたものである。そして、開口部１３を開口しやすいようにするため、例えば図１に示すように表フィルム１１が裏フィルム１２よりも短く形成され、下端側１０ｂの裏フィルム１２が表フィルム１１よりも突出するようにされ（図１では、裏フィルム１２を表フィルム１１の上に重ねて描いてある。）、あるいは、裏フィルム１２が表フィルム１１よりも短く形成されている。
【００２４】
そして、袋本体１０の上端側１０ａ付近には、帯状にシールされたシール部１４が設けられ、該シール部１４の上側が突出片１５とされている。この突出片１５を構成している裏フィルム１２には、例えば逆Ｕ字形の切込線１６が入れられ、切込線１６の内側が摘み上げることのできる舌片状の摘み片１７とされている。なお、切込線１６の両端部はシール部１４内に設けられてもよい。
【００２５】
さらに、裏フィルム１２の内面には、摘み片１７からシール部１４を交差して開口部１３付近まで、裏フィルム１２を引き裂くための細い帯状の切断手段（以下、「カットテープ」という。）１９が貼り付けられている。
【００２６】
そして、重ね合わされた表フィルム１１と裏フィルム１２は、開口部１３が長方形状に開口されることにより、袋本体１０には、裏フィルム１２と表フィルム１１の各側縁１１ａ，１２ｂに跨って一対の対向する直角三角形状の側面Ａ、裏フィルム１２の中心に長方形状の取出し面Ｂ、そして表フィルム１１の中心に長方形状の正面Ｃがそれぞれ形成される。このような袋本体１０内に収納されたサンドイッチは、三角形状に切られた外側のパンが側面Ａと接合し、切り口が取出し面Ｂと正面Ｃに接合する。
【００２７】
また、正面Ｃの表フィルム１１の内面には、内フィルム（図示せず）が貼着されており、具材が例えばゆで卵とマヨネーズなどをミックスしたサンドイッチが袋本体１０内に収納されても、この具材が内フィルムに付着することにより、表フィルム１１が汚れることなく、外観が損なわれないようにされている。
【００２８】
このような袋本体１０を構成している表フィルム１１と裏フィルム１２および内フィルムは、低コストで通気性の低い食品包装用のプラスチックフィルム、例えばポリプロピレンなどが使用され、開封性や経済性などの観点から２０〜３０μｍの厚さとされている。
【００２９】
そして、本発明の食品用の包装袋は、少なくとも前記一対の側面Ａ，Ａの外面および／または内面に三角形状のアタッチメント体２０の第一部位２１が貼着されていることを特徴としている。アタッチメント体２０は、袋本体１０に加えられる外力を受け止め、包装されたサンドイッチが形崩れしにくいようにするもので、第一部位２１は側面Ａと同じ大きさに形成され、第一部位２１のエッジが包装されたサンドイッチの角部と一致するようにされている。
【００３０】
また、アタッチメント体２０は図１の仮想線に示すように、裏フィルム１２が引き裂かれる開裂部Ｄの間隔をあけて、取出し面Ｂにも貼着される第二部位２２が設けられることが好ましい。アタッチメント体２０は、側面Ａと取出し面Ｂとに連続して第一部位２１と第二部位２２とが直角方向に貼着されることにより、アタッチメント体２０の剛性が大きくなり、アタッチメント体２０は外力を受けても、より一層変形しにくいようにすることができる。そして、取出し面Ｂに貼着されたアタッチメント体２０の第二部位２２により、裏フィルム１２は側面Ａの方へ引き裂かれることなく、開裂部Ｄの幅で開裂する。
【００３１】
このアタッチメント体２０の第二部位２２は、開裂部Ｄ側を除いたエッジが包装されたサンドイッチの角部と一致し、外力がサンドイッチの角部に加えられても、サンドイッチが形崩れにくいようにされている。
【００３２】
そして、アタッチメント体２０は、袋本体１０を製造する工程において貼着することができるように、熱溶着および熱溶断可能な材質、例えば厚手の軟質のプラスチックフィルム、硬質のプラスチック、あるいは化学繊維製の不織布などによって形成されている。そして、スパンボンド不織布のような不織布によって形成されたアタッチメント体２０は、高級感を醸し出すことができ、また袋本体１０の内面に貼着されると、袋本体１０内で発生する水滴を吸収することができる。
【００３３】
このようなアタッチメント体２０は、図２または図３に示すように袋本体１０を製造する工程において袋本体１０に貼着される。袋本体１０は図２に示すように、一対のロール状に巻かれた帯状のシート１，２から製造される。シート１，２はロールから繰り出され、下流側の製袋ポジションＰの方へ間歇的に搬送される。この製袋ポジションＰには、一度に２袋の袋本体１０，１０を逆向きに製造する製袋装置３０が配備されている。
【００３４】
製袋装置３０は、上流側に配備された端部用ヒータ３１，３２や、下流側に配備されたヒータ兼カッター３３，３４、スポット溶接機、カッター（ともに図示せず）などから構成されている。端部用ヒータ３１，３２は、昇降動することによって袋本体１０の突出片１５のシール部１４と上端縁とをシールする。また、一度の昇降動によって２袋分のシールをすることができるように、搬送方向に２袋分のピッチだけずれて、二組の端部用ヒータ３１，３２が配置されている。
【００３５】
一方、ヒータ兼カッター３３，３４は、ハ字形に配置されて昇降動し、シート１，２の搬送方向に対して斜め向きにシート１，２を溶断シールする。ヒータ兼カッター３３，３４の狭い方の間隔は袋本体１０の取出し面Ｂおよび正面Ｃの幅と一致している。シート１，２が２袋分のピッチで間歇的に搬送されることにより、次々と１袋分のピッチをあけてハ字形（図２においては逆ハ字形）に溶断シールされる。したがって、すでにハ字形（図２においては逆ハ字形）に溶断シールされて、下流側に間歇的に搬送されている台形状の袋本体１０Ｘと、現在、下降したヒータ兼カッター３３，３４によって形成された台形状の袋本体１０Ｚとの間に、逆向きの台形状の袋本体１０Ｙが形成される。
【００３６】
そして、このシート１，２の搬送方向と直交する方向に、アタッチメント体２０の原型であるアタッチメント帯２３が、ヒータ兼カッター３３，３４の狭い方の間隔をあけて２列で搬送される。アタッチメント体２０がスパンボンド不織布であるときは、アタッチメント帯２３はウェブ２３が使用される。ウェブ２３は、一対のロールに巻かれた状態から繰り出され、前記製袋ポジションＰの方へ２枚重ねられた状態に間歇的に搬送される。
【００３７】
アタッチメント体２０が袋本体１０の外面に貼着されるときは、図２に示すように、合計４本のウェブ２３，２３…が前記２枚のシート１，２を挟むように製袋ポジションＰの方へ搬送される。アタッチメント体２０が袋本体の内面に貼着されるときは、合計４本のウェブ２３，２３…が２枚のシート１，２に挟まれるように、またアタッチメント体２０が袋本体１０の外面と内面の両面に貼着されるときは、上側の合計４本のウェブ２３，２３…が上側のシート１を挟み、かつ下側の４本のウェブ２３，２３…が下側のシート１，２を挟むように搬送される。また、２枚のシート１，２の間にウェブ２３，２３を挟むときは、アプリケータ（図示せず）によって２枚のシート１，２の間を広げ、ウェブ２３，２３を２枚のシート１，２間に挿入する。
【００３８】
いずれにしても、２列のウェブ２３，２３は、製袋ポジションＰにおいて、シート１，２と重なり合った状態で、前記ヒータ兼カッター３３，３４が下降することによって、斜め向きに切断されると同時にシート１，２に貼着される。そして、シート１，２のエッジのラインで、カッター（図示せず）によってウェブ２３，２３が切断される。
【００３９】
そして、ウェブ２３，２３はヒータ兼カッター３３，３４によってのみ袋本体１０に貼着されている状態であるため、スポット溶接機（図示せず）によってウェブ２３，２３の全面を複数のスポット溶接し、ウェブ２３，２３が袋本体１０から外れないようにする。
【００４０】
また、アタッチメント体２０は、図３に示すような工程において一対の帯状のシート１，２に貼着することもできる。この一対のシート１，２は、間隔をあけて上流側から下流側の製袋ポジションＰ（図２参照）へ間歇的に搬送される。この一対のシート１，２は、外面も内面も、アタッチメント体２０を上側から貼着することができるようにするため、蛇行して搬送される。
【００４１】
すなわち、表フィルム１１用のシート１が搬送される上流側のポジションＫにおいて、このシート１の上面にアタッチメント体２０を貼着することにより、表フィルム１１の外面にアタッチメント体２０が露出するようにする。そして、このシート１の下流側のポジションＬにおいて、表用のシート１が一旦、上流側に戻り、表用のシート１の下面が上向きとなった状態で、アタッチメント体２０を貼着することにより、表フィルム１１の内面にアタッチメント体２０が配置されるようにする。
【００４２】
一方、裏フィルム１２用のシート２が搬送される上流側のポジションＭにおいて、このシート２の上面にアタッチメント体２０を貼着することにより、裏フィルム１２の内面にアタッチメント体２０が配置されるようにする。そして、このシート２の下流側のポジションＮにおいて、裏用のシート２が一旦、上流側に戻り、裏用のシート２の下面が上向きとなった状態で、この下面にアタッチメント体２０を貼着することにより、裏フィルム１２の外面にアタッチメント体２０が露出するようにする。
【００４３】
このようにして、アタッチメント体２０は、表裏フィルム１１，１２の外面と内面の両面に貼着される。このアタッチメント体２０は、表フィルム１１の正面Ｃの幅および裏フィルム１２の取出し面Ｂまたは開裂部Ｄの幅をもって貼着されることはいうまでもない。また、いずれのアタッチメント体２０も、ロールＲに巻かれたアタッチメント帯２３が繰り出され、斜め方向に切断され、スポット溶接機（図示せず）によって全面が複数のスポットによってシート１，２に貼着される。
【００４４】
そして、アタッチメント体２０が表裏フィルム１１，１２の外面または内面のいずれか片面に貼着されるときは、必要なポジションＫ，Ｌ，Ｍ，Ｎからアタッチメント帯２３が繰り出され、シート１，２の一方の面にアタッチメント体２０が貼着される。
【００４５】
図２および図３のいずれ方法であっても、アタッチメント体２０には、補強するためのリブ２４が形成されていることが好ましい。このリブ２４は、図１および図４に示すような複数本のストライプ状のほか、１本の直線形状や三又形状など特定するものではない。いずれにしても、リブ２４は、アタッチメント体２０を加熱し、袋本体１０に熱溶着することによって形成される。アタッチメント体２０と袋本体１０との熱溶着の面積が大きいと、両者２０，１０の熱膨張係数の差から、両者２０，１０に皺が生じ、最悪の場合は袋本体１０が破れることもあり得る。したがって、熱溶着するリブ２４の幅は狭くされている。
【００４６】
このようなリブ２４を形成するヒータ（図示せず）は、例えば前記製袋ポジションＰの下流側に配置され、アタッチメント体２０を袋本体１０に熱溶着した後に形成してもよいし、前記製袋装置３０にリブ２４を形成するヒータを備え、シート１，２を熱溶着および切断するとともに、ウェブ２３を切断し、アタッチメント体２０を袋本体１０に熱溶着すると同時にリブ２４を形成するようにしてもよい。
【００４７】
いずれにしても、リブ２４によってアタッチメント体２０が補強され、いわゆる腰を有するようになり、特にリブ２４の長さ方向の外力が加えられたときに、包装されたサンドイッチが形崩れしないようにすることができる。
【００４８】
以上のように構成された食品用の包装袋は、開口部１３を開口することにより、側面Ａが三角形の袋状の空間が形成される。該空間内にサンドイッチを収納し、サンドイッチの底面から突出している表フィルム１１と裏フィルム１２とを折り込み、粘着テープ（図示せず）などによって封緘することにより、サンドイッチが包装される。
【００４９】
このサンドイッチがスパンボンド不織布のようなアタッチメント体２０を貼着した袋本体１０に包装されていると、高級感が醸し出されるため、高級食材を使用した高級サンドイッチを普通のサンドイッチと差別化することができ、消費者はこのサンドイッチが高級であると、認識することができる。
【００５０】
また、図４に示すように、アタッチメント体２０が袋本体１０の側面Ａと、開裂部Ｄを除いた取出し面Ｂとに接合しているような食品用の包装袋にあっては、外力が側面Ａと取出し面Ｂとに加えられてもサンドイッチは形崩れすることがない。そして、アタッチメント体２０がスパンボンド不織布のような不織布で、かつ袋本体１０の内面に貼着されているときは、サンドイッチの水分が結露して、水滴が発生しても、該水滴はアタッチメント体２０に吸収され、サンドイッチの風味は損なわれることがない。
【００５１】
そして、包装されたサンドイッチを食するときは、裏フィルム１２の突出片１５に設けられた摘み片１７を摘んで真っ直ぐ下方向に引っ張る。摘み片１７が下方に引っ張られると、摘み片１７に貼り付けられているカットテープ１８によって、取出し面Ｂの裏フィルム１２はシール部１４から下方に引き裂かれる。このとき、取出し面Ｂには開裂部Ｄを除いてアタッチメント体２０が貼着されているため、カットテープ１８が開裂部Ｄから外れ、側面Ａの方へ裏フィルム１２を引き裂くことがない。そして、開裂部Ｄを拡開し、形崩れしていないサンドイッチを取出し面Ｂから容易に取り出すことができる。
【００５２】
本発明は、前記の発明の実施形態に限定することなく、特許請求の範囲に記載した技術的事項の範囲内において種々変更することができる。例えば、アタッチメント体２０は図１の実線に示すように、取出し面Ｂに貼着しないで側面Ａにのみ貼着してもよい。この場合であっても、カットテープ１８は側面Ａの裏フィルム１２を引き裂くことがなく、取出し面Ｂの範囲で裏フィルム１２を引き裂くことができる。あるいは、アタッチメント体２０は、側面Ａの一部に貼着してもよい。逆に、包装される食品がカステラのように内容物を確認する必要がない場合において、スパンボンド不織布によって形成されたアタッチメント体２０は正面Ｃを含め、袋本体１０の全面に貼着してもよい。
【００５３】
そして、発明の詳細な説明において説明した上下の位置関係は、図示した場合の位置関係であって、実際の上下の位置関係とは異なる場合があることはいうまでもない。
【００５４】
【発明の効果】
本発明によれば、少なくとも一対の側面の外面および／または内面に熱溶着および熱溶断可能なアタッチメント体が貼着されていることにより、包装された食品が外力を受けても形崩れしないようにすることができる。したがって、本発明の食品用の包装袋に包装された食品は、形崩れが原因で売れ残ることがないようにすることができる。
【００５５】
しかも、アタッチメント体が熱溶着および熱溶断可能な材質とされることにより、従来の食品用の包装袋を製造する工程においてアタッチメント体を袋本体に貼着することができる。したがって、このアタッチメント体を貼着することによって、食品用の包装袋はコストアップすることがない。
【図面の簡単な説明】
【図１】本発明の一実施形態を示す食品用の包装袋の正面図
【図２】本発明の一実施形態の食品用の包装袋を製造している状態を示す斜視図
【図３】本発明の一実施形態の食品用の包装袋を図２と異なる方法によって製造している状態を示す概略図
【図４】本発明の一実施形態を示す食品用の包装袋の斜視図
【図５】従来の食品用の包装袋の正面図
【図６】従来の食品用の包装袋であって、サンドイッチを包装していない状態の斜視図
【図７】従来の食品用の包装袋であって、サンドイッチを包装した状態の斜視図
【符号の説明】
１……シート
２……シート
１０……袋本体
１０ａ…一端側（上端側）
１０ｂ…他端側（下端側）
１１……表フィルム
１１ａ…側縁
１２……裏フィルム
１２ａ…側縁
１４……開口部
２０……アタッチメント体
２１……第一部位
２２……第二部位
３０……製袋装置
Ａ……側面
Ｂ……取出し面
Ｄ……開裂部
【図１】
2004244071.tif 000003
【図２】
2004244071.tif 000004
【図３】
2004244071.tif 000005
【図４】
2004244071.tif 000006
【図５】
2004244071.tif 000007
【図６】
2004244071.tif 000008
【図７】
2004244071.tif 000009